【事件の表示】
　特願２００３−２７７１３１「再生装置及び再生制御方法」拒絶査定不服審判事件〔平成１７年　２月１０日出願公開、特開２００５−　３８３５２〕について、次のとおり審決する。
【結　論】
　本件審判の請求は、成り立たない。
【理　由】
第１　手続の経緯
　
　本願は，平成１５年７月１８日の出願であって，平成１８年９月８日付けで拒絶理由が通知され，同年１１月１０日に手続補正書が提出され，同年１１月３０日付けで拒絶査定がされ，これに対し，平成１９年１月１８日に審判請求がされるとともに，同年２月１９日付けで手続補正書が提出されたものである。
　
第２　平成１９年２月１９日に提出された手続補正書による補正（以下「本件補正」という。）についての補正却下の決定
　
補正却下の決定の結論
　
　本件補正を却下する。
　
理由
　
１　補正の内容
　
　本件補正により，特許請求の範囲は，次のとおり補正された。なお，下線は，補正された部分を示すものとして，手続補正書に付されたものを援用したものである。
　
≪本件補正前≫
　
「【請求項１】
　複数のコンテンツデータを記録するコンテンツデータ記録媒体と、
　環境変数を取得するための環境変数取得手段と、
　再生されたコンテンツデータの識別情報を、再生された時点の環境変数と組み合わせて保存する再生履歴記憶手段と、
　現時点の環境変数と、前記再生履歴記憶手段に記憶された環境変数との類似度に基づいて、前記コンテンツデータ記録媒体からコンテンツデータを選択して再生する再生制御手段とを備え、
　前記再生制御手段は、前記類似度に基づくコンテンツデータの選択に失敗したとき、前記複数のコンテンツデータのうちいずれかを選択して再生することを特徴とする
　再生装置。
【請求項２】
　請求項１記載の再生装置において、
　前記環境変数は、位置情報、時刻情報および環境情報のうち少なくとも１つの情報を含み、
　前記環境変数が位置情報を含むときは、位置を特定するための位置測位手段を備え、
　前記環境変数が時刻情報を含むときは、時刻を計測するための時計手段を備え、
　前記環境変数が環境情報を含むときは、環境情報を計測するための環境情報センサを備えることを特徴とする
　再生装置。
【請求項３】
　請求項１記載の再生装置において、
　前記環境変数は、位置情報、時刻情報および環境情報のうち少なくとも２つの情報を含み、
　前記再生制御手段は、前記環境変数のうち位置情報、時刻情報および環境情報のいずれか一の情報に関して前記類似度を求め、この類似度に基づき前記再生履歴記憶手段に記憶された環境変数の中に現時点の環境変数と類似する環境変数が複数あるとき、前記一の情報以外の情報に関して前記類似度を求めて、この類似度に基づいて前記コンテンツデータ記録媒体からコンテンツデータを選択して再生する
　再生装置。
【請求項４】
　請求項１記載の再生装置において、
　前記コンテンツデータの属性情報を、前記コンテンツデータの識別情報と関連付けて保存する属性情報記憶手段をさらに備え、
　前記再生制御手段は、得られた前記類似度に基づき現時点の環境変数と類似する過去の環境変数がないと判断するとき、現時点の環境変数と前記コンテンツデータの属性情報との近さを好適度として求め、この好適度を基に、前記コンテンツデータ記録媒体からコンテンツデータを選択して再生する
　再生装置。
【請求項５】
　請求項１記載の再生装置において、
　前記再生制御手段は、得られた前記類似度に基づき現時点の環境変数と類似する過去の環境変数がないと判断するとき、現時点の環境変数をサービスセンタに送信し、このサービスセンタから伝送された識別情報に基づいて前記コンテンツデータ記録媒体からコンテンツデータを選択して再生し、
　前記サービスセンタは、前記コンテンツデータの属性情報を、このコンテンツデータの識別情報と関連付けて記録する記憶手段と、供給される環境変数と前記属性情報との好適度に基づいてこの環境変数に近いと判断されるコンテンツデータの識別情報を選択して前記再生制御手段に伝送する選択制御手段とを備えることを特徴とする
　再生装置。
【請求項６】
　コンテンツデータの再生を制御する制御部が行なう再生制御方法であって、
　再生されるコンテンツデータの識別情報を、再生される時点の環境変数に関連付けて記憶するステップと、
　現在の環境変数と、前記記憶された環境変数との類似度を求めるステップと、
　前記類似度に基づいてコンテンツデータを選択して再生するステップと
を備え、
　前記再生ステップにおいて、前記類似度に基づくコンテンツデータの選択に失敗したとき、任意のコンテンツデータを選択して再生することを特徴とする
　再生制御方法。
【請求項７】
　請求項６記載の再生制御方法において、
　前記類似度に基づいて現在の環境変数と類似する過去の環境変数がないと判断されるとき、現在の環境変数とコンテンツデータの属性情報との近さを基に、コンテンツデータを選択する選択ステップを有することを特徴とする
　再生制御方法。
【請求項８】
　請求項７記載の再生制御方法において、
　前記類似度を求めるステップ及び前記選択ステップの少なくともいずれか一方のステップをサービスセンタにおいて実施し、その結果を受信して、それを基にコンテンツデータを再生することを特徴とする
　再生制御方法。」
　
≪本件補正後≫
　
「【請求項１】
　複数のコンテンツデータを記録するコンテンツデータ記録媒体と、
　
位置情報、時刻情報および環境情報のうち少なくとも２つの情報を含む
　再生されたコンテンツデータの識別情報を、再生された時点の環境変数と組み合わせて保存する再生履歴記憶手段と、
　現時点の環境変数と、前記再生履歴記憶手段に記憶された環境変数との類似度に基づいて、前記コンテンツデータ記録媒体からコンテンツデータを選択して再生する再生制御手段とを備え、
　前記再生制御手段は、前記
環境変数のうち位置情報、時刻情報および環境情報のいずれか一の情報に関して類似度を求め、この類似度に基づき前記再生履歴記憶手段に記憶された環境変数の中に現時点の環境変数と類似する環境変数が複数あるとき、前記一の情報と前記一の情報以外の情報に関して類似度を求めて、この類似度に基づき前記コンテンツデータ記録媒体からコンテンツデータを選択して再生し、この
ことを特徴とする再生装置。
【請求項２】
　請求項１記載の再生装置において
、
　
前
　前記環境変数が時刻情報を含むときは、時刻を計測するための時計手段を備え、
　前記環境変数が環境情報を含むときは、環境情報を計測するための環境情報センサを備える
ことを特徴とする再生装置。
【請求項３】
　請求項１記載の再生装置において、
　前記コンテンツデータの属性情報を、前記コンテンツデータの識別情報と関連付けて保存する属性情報記憶手段をさらに備え、
　前記再生制御手段は、
前記類似度に基づくコンテンツデータの選択に失敗した
ことを特徴とする
【請求項４】
　請求項１記載の再生装置において、
　前記再生制御手段は、
前記類似度に基づくコンテンツデータの選択に失敗した
　前記サービスセンタは、前記コンテンツデータの属性情報を、このコンテンツデータの識別情報と関連付けて記録する記憶手段と、供給される環境変数と前記属性情報との好適度に基づいてこの環境変数に近いと判断されるコンテンツデータの識別情報を選択して前記再生制御手段に伝送する選択制御手段とを備えることを特徴とする
　再生装置。
【請求項５】
　コンテンツデータの再生を制御する制御部が行なう再生制御方法であって、
　
位置情報、時刻情報および環境情報のうち少なくとも２つの情報を含む環境変数を取得するステップと、
　再生されるコンテンツデータの識別情報を、再生される時点の環境変数に関連付けて記憶するステップと、
　現在の環境変数と、前記記憶された環境変数との類似度を求めるステップと、
　前記類似度に基づいてコンテンツデータを選択して再生するステップとを備え、
　
前記類似度を求めるステップにおいて、前記環境変数のうち位置情報、時刻情報および環境情報のいずれか一の情報に関して類似度を求め、この類似度に基づき前記再生履歴記憶手段に記憶された環境変数の中に現時点の環境変数と類似する環境変数が複数あるとき、前記一の情報と前記一の情報以外の情報に関して類似度を求め、
　前記再生ステップにおいて、前記類似度に基づくコンテンツデータの選択に失敗したとき、任意のコンテンツデータを選択して再生する
ことを特徴とする再生制御方法。
【請求項６】
　請求項
５
　
前記再生ステップにおいて、前記類似度に基づくコンテンツデータの選択に失敗した
ことを特徴とする再生制御方法。
【請求項７】
　請求項
６
　前記類似度を求めるステップ及び前記選択ステップの少なくともいずれか一方のステップをサービスセンタにおいて実施し、その結果を受信して、それを基にコンテンツデータを再生する
ことを特徴とする再生制御方法。」
　
２　本件補正の補正目的の適否
　
（１）本件補正は，拒絶査定に対する審判請求時の補正であるから，本件補正による特許請求の範囲についてする補正は，平成１８年法律第５５号改正附則３条１項によりなお従前の例によるとされる同法による改正前の特許法（以下「改正前の特許法」という。）１７条の２第４項の規定により同項第１号から第４号に掲げる事項を目的とするものに限られる。
　
　よって，本件補正による特許請求の範囲の補正が，改正前の特許法第１７条の２第４項各号に掲げる事項を目的とするものであるかを検討する。
　
（２）本件補正前後の特許請求の範囲の記載を比較すると，「再生制御方法」の発明に関する請求項は，本件補正前においては，請求項６，７，８のみであるから，同じ「再生制御方法」の発明に関する本件補正後の請求項５，６，７は，その記載内容から見て，それぞれ本件補正前の請求項６，７，８が補正されたものといえる。
　
　ここで，本件補正後の請求項５の記載を見るに，本件補正は，本件補正前の請求項６に対して「位置情報、時刻情報および環境情報のうち少なくとも２つの情報を含む環境変数を取得するステップと、」の記載を追加する補正事項を含むものである。
　　
　しかしながら，本件補正後のかかる「取得するステップ」は，本件補正前の請求項６における「記憶するステップ」，「類似度を求めるステップ」，「再生するステップ」のいずれの下位概念でもなく，それらと同位の概念であるので，上記補正事項は、本件補正前の請求項６における「記憶するステップ」，「類似度を求めるステップ」，「再生するステップ」に，実質的に，新たに「位置情報、時刻情報および環境情報のうち少なくとも２つの情報を含む環境変数を取得するステップ」を追加するものであるから，上記補正事項は，補正前の発明特定事項を限定的に減縮するものとは認められない。
　したがって，上記補正事項は，改正前の特許法第１７条の２第４項第２号に掲げられた事項を目的とするものに該当するとは認められない。
　
　また，上記補正事項が，改正前の特許法第１７条の２第４項第１号（請求項の削除），第３号（誤記の訂正）及び第４号（明りょうでない記載の釈明）に掲げる事項のいずれを目的とするものでないことも明らかである。
　
　よって、上記補正事項は，改正前の特許法第１７条の２第４項の規定に違反するものである。
　
（３）以上のことから，本件補正は，改正前の特許法１７条の２第４項の規定に違反するので，同法１５９条１項において読み替えて準用する同法５３条１項の規定により却下すべきものである。
　
第３　本願発明
　
１　本願発明の内容
　
　以上のとおり，本件補正（平成１９年２月１９日に提出された手続補正書による補正）は却下されたので，本願の請求項１に係る発明（以下「本願発明」という。）は，本件補正前の請求項１（平成１８年１１月１０日に提出された手続補正書により補正された請求項１）に記載されたとおりのものであり，以下に再掲する。
　
「【請求項１】
　複数のコンテンツデータを記録するコンテンツデータ記録媒体と、
　環境変数を取得するための環境変数取得手段と、
　再生されたコンテンツデータの識別情報を、再生された時点の環境変数と組み合わせて保存する再生履歴記憶手段と、
　現時点の環境変数と、前記再生履歴記憶手段に記憶された環境変数との類似度に基づいて、前記コンテンツデータ記録媒体からコンテンツデータを選択して再生する再生制御手段とを備え、
　前記再生制御手段は、前記類似度に基づくコンテンツデータの選択に失敗したとき、前記複数のコンテンツデータのうちいずれかを選択して再生することを特徴とする
　再生装置。」
　
２　引用刊行物について
　
（１）原査定の拒絶理由に引用された，本願の出願日前に日本国内で頒布された刊行物である特開２０００−２５１３８２号公報（平成１２年９月１４日出願公開。以下「引用例」という。）には，図とともに，次の記載がある。なお，下線は，当審で付加したものである。
　
（ア）「【００１１】【発明の実施の形態】次に、本発明の一つの実施の形態を図１を参照して説明する。図１は本発明に係るチェンジャー式ＣＤプレーヤの構成を示すブロック図である。
１０はパレットナンバ（ＰＮＯ）１〜ｎの別に、蓄積データ記憶手段としてのｎ枚のＣＤ１−１〜１−ｎを収納するディスク収納部
【００１２】
１３は時の計時を行うタイマ部であり、現在の年月日、時刻（時分）、曜日、時間帯から成るタイマ情報を出力する。
【００１３】１
４は各種再生履歴情報を記憶する再生履歴情報記憶部であり、再生履歴元データ記憶エリア１４Ａ
を含んでいる。
【００１４】１５は操作部であり、通常再生の指示操作をするためのＰＬＡＹキー、次曲への曲送り指示操作をするためのスキップアップキー、前曲への曲戻し指示操作をするためのスキップダウンキー、停止指示操作をするためのＳＴＯＰキー、自動選曲再生指示操作をするためのAUTO-PLAY キー、月〜日の曜日の指定操作をするための曜日キー、時間帯Ｉ〜IVの指定操作をする時間帯キーを有している。１６はマイコン構成のコントロール部であり、ＰＬＡＹキー、スキップアップキー、スキップダウンキーの操作で所望曲の選択操作がされると、ディスク再生部１１を制御してＣＤ１−１〜１−ｎに収録された全曲の中で所望曲の音楽データを読み出して再生出力させる。そして、当該再生させた所望曲を特定する情報であるパレットナンバ（ＰＮＯ）ｉとトラックナンバ（ＴＮＯ；曲番）ｊの組データ（ｉ，ｊ）を、その時点のタイマ情報（年月日、時分、曜日、時間帯）と対応付けた再生履歴データを再生履歴情報記憶部１４の再生履歴元データ記憶エリア１４Ａに記憶させて追加登録する。この際、再生履歴元データ記憶エリア１４Ａに記憶された全再生履歴元データを対象にして曜日別に、曲毎の再生頻度を集計し、頻度順に整理した曜日別頻度順位情報を曜日別頻度順位記憶エリア１４Ｂに記憶させ、また、再生履歴元データ記憶エリア１４Ａに記憶された全再生履歴元データを対象にして時間帯別に、曲毎の再生頻度を集計し、頻度順に整理した時間帯別頻度順位情報を時間帯別頻度順位記憶エリア１４Ｃに記憶させる。
【００１５】また、コントロール部１６はAUTO-PLAY キーの操作で自動選曲再生指示操作がされると、その後、一定時間内に曜日キーと時間帯キーのいずれも操作されないときは、再生履歴情報記憶部１４の記憶内容を対象にして、その時点のタイマ情報が示す曜日に再生履歴の有る曲を検索し、該当する曲が有ればディスク再生部１１を制御して検索した各曲を順に再生させ、該当する曲が無いときはその時点のタイマ情報が示す時間帯に再生履歴の有る曲を検索し、該当する曲が有ればディスク再生部１１を制御して検索した各曲を順に再生させる。これと異なり、AUTO-PLAY キーの操作で自動選曲再生指示操作がされたあと、一定時間内に、曜日キーで所望曜日（時間帯キーで所望時間帯）の指定操作がされたときは、再生履歴情報記憶部１４の記憶内容を対象にして、指定曜日（指定時間帯）に再生履歴の有る曲を検索し、該当する曲が有ればディスク再生部１１を制御して検索した各曲を順に再生させる。」
　
（イ）「【００１９】このように、コントロール部１６はＰＬＡＹキーが押されると、とりあえずディスク収納部１０のパレットナンバ１のＣＤ１−１の最初の曲が選択されたとして、当該曲の再生を開始させるが、曲の半分を再生する前に、スキップアップキー、スキップダウンキー、ＳＴＯＰキーのいずれかが押されたときは、当該曲は選択されなかったとして扱う。すなわち、トラックナンバ１の曲の再生開始後、コントロール部１６はＡ＝０なのでディスク再生部１１から演奏経過時間を入力し、先に読み取ったＴＯＣ情報と照合してトラックナンバ１の曲の半分まで再生が進んだかチェックすることで、現在再生中の曲が真にユーザが所望曲として選択した曲であるか否か判別するとともに、当該所望曲を実際に再生したか否か判別する（ステップＳ１７、Ｓ１８）。まだ、曲の半分まで再生が進んでいない間はＮＯと判断し、図８のフローに進み、スキップアップキーが押されたか、スキップダウンキーが押されたかチェックし（図８のステップＳ３０、Ｓ４０）、ＮＯであったとすると、続いてディスク再生部１１から絶対時間を入力し、先に読み取ったＴＯＣ情報と照合してトラックナンバ１の曲の再生が終わったかチェックする（ステップＳ５０）。ここではＮＯなので、ＳＴＯＰキーが押されたかチェックし（ステップＳ５１）、ＮＯであったとすると、図７のステップＳ１７に戻り、同様の処理を繰り返す。
【００２０】ユーザにとってＣＤ１−１のトラックナンバ１の曲が所望曲であればそのまま再生を続行させれば良いが、実はトラックナンバ１は所望曲でなく、トラックナンバ２が本当の所望曲のとき、該所望曲を選択するためスキップアップキーを１回押して曲送り指示操作をする。すると、コントロール部１６は図８のステップＳ３０でＹＥＳと判断し、現在再生中のトラックナンバｊがＣＤ１−１の最後のトラックナンバＪ（＝５）でないので、ｊを２、Ａ＝０とし（ステップＳ３１、Ｓ３２）、サーチ目標位置としてのトラックナンバ２の先頭位置データ（絶対時間）を含むサーチ指令をディスク再生部１１に与え、該指令に基づき、ディスク再生部１１はトラックナンバ２の先頭をサーチし、サーチ後再生を開始する（ステップＳ１６）。これにより、ユーザの所望曲である１枚目のディスクの２番目の曲の音楽信号が再生されていく。
【００２１】トラックナンバ２の曲の再生開始後、コントロール部１６はＡ＝０なのでディスク再生部１１から演奏経過時間を入力し、先に読み取ったＴＯＣ情報と照合してトラックナンバ２の曲の半分まで再生が進んだかチェックする（ステップＳ１７、Ｓ１８）。ユーザがスキップアップキー、スキップダウンキー、ＳＴＯＰキーをいずれも操作することなく、トラックナンバ２の曲の半分まで再生が進むと、コントロール部１６はステップＳ１８でＹＥＳと判断し、
現在再生中の曲が真にユーザが所望曲として選択した曲であり、かつ、当該所望曲を実際に再生したと判断する。このとき、タイマ部１３から現在の年月日、時分、曜日、時間帯を表すタイマ情報を入力し、現在再生中のパレットナンバｉ（＝１）とトラックナンバｊ（＝２）の組データ（ｉ，ｊ）＝（１，２）と対応付けた再生履歴元データを再生履歴元データ記憶エリア１４Ａに追加して記憶させる
　
（ウ）「【００３７】（２）自動選曲再生−曜日、時間帯の指定無し
ユーザが過去に所望曲を選曲して再生させたときの再生履歴情報に基づき、現在の曜日または時間帯と同じ曜日または時間帯に再生した曲を自動的に選曲して再生させたいとき
【００３８】そして、再生履歴情報記憶部１４の記憶内容を参照して、過去にユーザの選曲操作に従い再生した曲の中で、現在の曜日と同じ曜日に再生したことのある曲を検索する（ステップＳ８１）。ステップＳ８１の処理は、曜日別頻度順位記憶エリア１４Ｂに記憶された曜日別頻度順位情報を用いて行い、該当する曲が有る場合の曲を特定する情報、該当する曲が複数有る場合に頻度の高い順番などが判る。なお、仮に、事前に曜日別頻度順位の集計をしていない場合、再生履歴元データ記憶エリア１４Ａの全再生履歴元データを対象にして、再生履歴元データ中の年月日データまたは曜日データから、現在の曜日と同じ曜日に再生した曲を検索し、内蔵メモリに登録しておく（当該検索で見出した曲が複数有る場合、曲毎に再生頻度を集計し、頻度順に並べて内蔵メモリに登録しておく）。
【００３９】ステップＳ８１に続きコントロール部１６は、検索結果に基づき現在の曜日と同じ曜日に再生したことのある曲が１曲以上有ったかチェックする（ステップＳ８２）。現在の曜日が例えば水曜日であるとき、図４の如く再生頻度の高い順に（パレットナンバｉ，トラックナンバｊ）＝（７，１）、（４，６）、（８，２）、（３，５）、・・の曲が該当し、ＹＥＳと判断する。このとき、コントロール部１６は現在の曜日と同じ曜日に再生したことのある曲数をＨとして登録したのち（図９のステップＳ６５）、ディスク再生部１１を制御して頻度の高い順に再生を行わせる（図１０のステップＳ６６〜Ｓ７６）。
【００４０】具体的にはまず一番頻度の高い曲を再生させるため、頻度順に見た曲順を示すｋを１とし（図１０のステップＳ６６）、今回検索で見出した曲の内、頻度順に見てｋ番目の曲の特定情報を（パレットナンバｉk ，トラックナンバｊk ）とする。ｋ＝１のとき、ｉk ＝７、ｊk ＝１となる（ステップＳ６７）。次に、現在、ディスク再生部１１にパレットナンバｉk のＣＤ１−ｉk が既にセット済であるか判断し（ステップＳ６８）、ここではＮＯであるとすると、ディスク再生部１１に対しパレットナンバｉk のＣＤ１−ｉk へのディスクへの交換指令と、ＴＯＣ情報の読み取り指令を与える。まず、交換指令に基づきディスク再生部１１はチェンジャー部１２に指示してディスク収納部１０の内、パレットナンバ７のＣＤ１−７を取り出し、ディスク再生部１１にセットさせる（ステップＳ６９）。続いて、ＴＯＣ情報の読み取り指令に従い、ＣＤ１−７のリードインからＴＯＣ情報を読み取り、コントロール部１６へ出力し、コントロール部１６は内蔵メモリ（図示せず）に記憶する（ステップＳ７０）。次に、コントロール部１６はサーチ目標位置としてのトラックナンバ１の先頭位置データ（絶対時間）を含むサーチ指令をディスク再生部１１に与え、該指令に基づき、ディスク再生部１１はトラックナンバ１の先頭をサーチし、サーチ後再生を開始する（ステップＳ７１）。これにより、７枚目のディスクの最初の曲の音楽信号が再生されていく。
【００４１】トラックナンバ１の曲の再生開始後、コントロール部１６はＳＴＯＰキーが押されたかチェックし（ステップＳ７２）、ここではＮＯであるとすると、続いてディスク再生部１１から絶対時間を入力し、先に読み取ったＴＯＣ情報と照合してトラックナンバ１の曲の再生が終わったかチェックする（ステップＳ７３）。ここでもＮＯのとき、ステップＳ７２に戻り、同様の処理を繰り返す。その後、トラックナンバ１の曲の最後まで再生が終わると（ステップＳ７３でＹＥＳ）、コントロール部１６はディスク再生部１１に停止指令を与えて再生動作を停止させ（ステップＳ７４）、ｋ＝Ｈであったかチェックし（ステップＳ７５）、ここではＮＯなのでｋをインクリメントして２としたあと（ステップＳ７６）、ステップＳ６７に戻り、今度は頻度順に見て２番目の曲を再生させるため、ＣＤ１−４に交換してトラックナンバ６の曲を再生させる（ステップ６８〜Ｓ７１）。
【００４２】ＣＤ１−４のトラックナンバ６の曲の再生が終わればＣＤ１−８に交換してトラックナンバ２の曲を再生させ、ＣＤ１−８のトラックナンバ２の曲の再生が終わればＣＤ１−３に交換してトラックナンバ５の曲を再生させるという具合にして、順に再生させていく。そして、頻度順に見てＨ番目の曲の再生が終わるか、ＳＴＯＰキーが押されたところで、ディスク再生部１１に停止指令を与えて再生動作を停止させ（ステップＳ７２またはＳ７５でＹＥＳ、Ｓ７７）、今回の自動選曲再生処理を終える。このように、AUTO-PLAY キーを押して自動選曲再生指示操作をすると、過去に現在と同じ曜日に再生した曲が頻度順に自動的に選択されて再生されるので、ユーザは何ら選曲操作の手間を掛けなくても現在の曜日に合った好みの曲を聞きたい順に再生させることができる。
【００４３】なお、若し、図１１のステップＳ８２でＮＯとなったときは、再生履歴情報記憶部１４の記憶内容を参照して、過去にユーザの選曲操作に従い再生した曲の中で、現在の時間帯と同じ時間帯に再生したことのある曲を検索する（ステップＳ８３）。ステップＳ８３の処理は、時間帯別頻度順位記憶エリア１４Ｃに記憶された時間帯別頻度順位情報を用いて行い、該当する曲が有る場合の曲を特定する情報、該当する曲が複数有る場合に頻度の高い順番などが判る。なお、仮に、事前に時間帯別頻度順位の集計をしていない場合、再生履歴元データ記憶エリア１４Ａの全再生履歴元データを対象にして、再生履歴元データ中の時分データ（時刻データ）または時間帯データから、現在の時間帯と同じ時間帯に再生した曲を検索し、内蔵メモリに登録しておく（当該検索で見出した曲が複数有る場合、曲毎に再生頻度を集計し、頻度順に並べて内蔵メモリに登録しておく）。
【００４４】ステップＳ８１に続きコントロール部１６は、検索結果に基づき現在の時間帯と同じ時間帯に再生したことのある曲が１曲以上有ったかチェックする（ステップＳ８２）。現在の時間帯が例えば１６：００〜２０：００のIII であるとき、図６の如く再生頻度の高い順に（パレットナンバｉ，トラックナンバｊ）＝（５，６）、（１，４）、（２，４）、（１，３）、・・の曲が該当し、ＹＥＳと判断する。このとき、コントロール部１６は現在の時間帯と同じ時間帯に再生したことのある曲数をＨとして登録したのち（図９のステップＳ６５）、前述と同様にしてディスク再生部１１を制御して頻度の高い順に再生を行わせる（図１０のステップＳ６６〜Ｓ７６）。
【００４５】すなわち、まずＣＤ１−５に交換してトラックナンバ６の曲を再生させ、該トラックナンバ６の曲の再生が終わればＣＤ１−１に交換してトラックナンバ４の曲を再生させ、該トラックナンバ４の曲の再生が終わればＣＤ１−２に交換してトラックナンバ４の曲を再生させ、該トラックナンバ４の曲の再生が終わればＣＤ１−１に交換してトラックナンバ３の曲を再生させるという具合にして、順に再生させていく。そして、頻度順に見てＨ番目の曲の再生が終わるか、ＳＴＯＰキーが押されたところで、ディスク再生部１１に停止指令を与えて再生動作を停止させ（ステップＳ７２またはＳ７５でＹＥＳ、Ｓ７７）、今回の自動選曲再生処理を終える。このように、過去に現在と同じ時間帯に再生した曲が頻度順に自動的に選択されて再生されるので、ユーザは何ら選曲操作の手間を掛けなくても現在の時間帯に合った好みの曲を聞きたい順に再生させることができる。」
　
（エ）「【００５６】また、図１１のステップＳ８１の処理とステップＳ８３の処理を入れ換えて、AUTO-PLAY キーが押されたあと一定時間内に曜日指定と時間帯指定のいずれもなければ、まず、現在の時間帯と同じ時間帯に再生履歴の有る曲を検索するようにし、該検索で該当する曲が１つも無い場合に、現在の曜日と同じ時間帯に再生履歴の有る曲を検索するようにしても良い。また、図１１のステップＳ８３とＳ８４の処理は省略し、ステップＳ８１は現在の曜日かつ時間帯と同じ曜日かつ時間帯に再生したことのある曲を検索する処理に変えても良い。この場合、例えば、再生履歴情報記憶部１４に新たに曜日・時間帯別頻度順位記憶エリアを設けておき、図７のステップＳ２０の処理では、再生履歴元データ記憶エリア１４Ａの全再生履歴データを対象にして、曜日別かつ時間帯別に分けて、曲毎の再生頻度を集計し、頻度順に並べた曲を特定する情報を曜日・時間帯別頻度順位記憶エリアに記憶させておき、変更後のステップＳ８１では、当該曜日・時間帯別頻度順位記憶エリアの記憶内容を対象にして、現在の曜日かつ時間帯と同じ曜日かつ時間帯に再生したことのある曲を検索する処理を行うようにするか、或いは、
再生履歴元データ記憶エリア１４Ａの全再生履歴元データを対象にして、再生履歴元データ中の年月日データと時分データ、または曜日データと時分データ、または年月日データと時間帯データ、または曜日データと時間帯データから、現在の曜日かつ時間帯と同じ曜日かつ時間帯に再生した曲を検索する処理を行うようにしても良い
　
（２）以上によれば，引用例には
　
「蓄積データ記憶手段としてのＣＤを収納するディスク収納部と，
　現在の年月日，時刻（時分），曜日，時間帯から成るタイマ情報を出力するタイマ部と，
　再生履歴元データ記憶エリアを含む再生履歴情報記憶部とを備え，
　所望曲を実際に再生したと判断すると，前記タイマ部から現在の年月日，時分，曜日，時間帯を表すタイマ情報を入力し，現在再生中のパレットナンバとトラックナンバの組データと対応付けた再生履歴元データを前記再生履歴元データ記憶エリアに追加して記憶させ，
　前記再生履歴元データ記憶エリアの全再生履歴元データを対象にして，現在の曜日かつ時間帯と同じ曜日かつ時間帯に再生した曲を検索する処理を行い，
　前記検索された曲を再生させる再生装置。」（以下「引用発明」という。）
　
　が記載されていると認められる。
　
３　対比
　
（１）本願発明と，引用発明とを対比すると
　
（ア）引用発明の「蓄積データ記憶手段としてのＣＤを収納するディスク収納部」は，曲別の音楽データを多数蓄積した記録媒体であるから，本願発明の「複数のコンテンツデータを記録するコンテンツデータ記録媒体」に相当する。
（イ）引用発明における「年月日，時刻（時分），曜日，時間帯」は，本願発明の「環境変数」に相当するから，引用発明の「現在の年月日，時刻（時分），曜日，時間帯から成るタイマ情報を出力するタイマ部」は，本願発明の「環境変数を取得するための環境変数取得手段」に相当する。
（ウ）引用発明では「パレットナンバとトラックナンバの組データ」によって曲が識別されるから，かかる引用発明の「パレットナンバとトラックナンバの組データ」は，本願発明の「コンテンツデータの識別情報」に相当する。
（エ）引用発明において，所望曲が実際に再生したと判断された場合にタイマ部から入力される「現在の年月日，時分，曜日，時間帯を表すタイマ情報」は，曲が再生された時点の時刻情報であるから，本願発明の「再生された時点の環境変数」に相当する。
（オ）引用発明において「所望曲を実際に再生したと判断すると，前記タイマ部から現在の年月日，時分，曜日，時間帯を表すタイマ情報を入力し，現在再生中のパレットナンバとトラックナンバの組データと対応付けた再生履歴元データを前記再生履歴元データ記憶エリアに追加」する処理は，再生された曲とその曲が再生された時刻とを組み合わせて再生履歴として順次記録する処理であるから，本願発明の「再生されたコンテンツデータの識別情報を、再生された時点の環境変数と組み合わせて保存する」処理に相当する。そうすると，引用発明における「再生履歴情報記憶部」は，本願発明の「再生履歴記憶手段」に相当する。
（カ）引用発明において，曲を検索する際の「現在の曜日かつ時間帯」の情報は，本願発明の「現時点の環境変数」に相当する。
（キ）引用発明における「再生履歴元データ記憶エリアの全再生履歴元データを対象にして，現在の曜日かつ時間帯と同じ曜日かつ時間帯に再生した曲を検索」し，更に「検索された曲を再生させる」手段は，現在の曜日・時間帯に基づいて再生履歴を検索することで曲を検索し，検索された曲を再生する手段であるから，本願発明の「再生制御手段」と，「現時点の環境変数と、前記再生履歴記憶手段に記憶された環境変数に基づいて、前記コンテンツデータ記録媒体からコンテンツデータを選択して再生」する手段である点において共通する。
　
（２）一致点と相違点について
　
　そうすると，本願発明と引用発明の一致点と相違点は，次のとおりと認められる。
　
ア　一致点
　
「複数のコンテンツデータを記録するコンテンツデータ記録媒体と，
　環境変数を取得するための環境変数取得手段と，
　再生されたコンテンツデータの識別情報を，再生された時点の環境変数と組み合わせて保存する再生履歴記憶手段と，
　現時点の環境変数と，前記再生履歴記憶手段に記憶された環境変数に基づいて，前記コンテンツデータ記録媒体からコンテンツデータを選択して再生する再生制御手段とを備えることを特徴とする
　再生装置。」
　
イ　相違点
　
［相違点１］
　
　本願発明では，現時点の環境変数と，再生履歴記憶手段に記憶された環境変数との類似度に基づいて再生するコンテンツデータの選択が行われるのに対し，引用発明では，現時点の環境変数と，再生履歴記憶手段に記憶された環境変数との一致に基づいて再生するコンテンツデータの選択が行われている点。
　
［相違点２］
　
　本願発明では，再生制御手段が，コンテンツデータの選択に失敗したとき，前記複数のコンテンツデータのうちいずれかを選択して再生するのに対し，引用発明では，再生制御手段が，コンテンツデータの選択に失敗したときに，どのような処理が行われるのかが，明らかでない点。
　
４　判断
　
（１）［相違点１］について
　
　情報の検索を，類似度に基づいて行うようにし，検索条件と一致する情報のみならず類似する情報も検索結果に含ませるようにすることは，情報検索の技術分野では，周知の技術的事項に過ぎない（例えば，特開２００２−３５１７８２号公報の段落【００３５】〜【００３８】には，場所と時間から類似性の評価値を計算し，この評価値に基づいて類似する情報を検索することが，特開平１０−２１２５９号公報の段落【００１５】には，緯度経度から距離を算出し，この算出された距離に基づいて距離的に近い情報を検索することが，それぞれ記載されている。）。
　そうすると，引用発明において，再生するコンテンツデータの選択を，現時点の環境変数と，再生履歴記憶手段に記憶された環境変数との一致に基づいて行うようにすることも，それら環境変数の類似度に基づいて行うようにすることも，当業者が適宜選択できることであるので，引用発明において［相違点１］にかかる構成とすることは，当業者においては適宜なし得たことといえる。
　
（２）［相違点２］について
　
　検索条件に合致する情報が存在しなかった場合でも，いずれかの情報を再生・表示させるようにすることは，情報検索の技術分野では，周知の技術的事項に過ぎない（例えば，特開２００１−３２４３３５号公報の段落【００３８】〜【００４０】には，検索の結果，該当曲が無かった場合，いずれかの楽曲を再生することが記載されている。）。
　そうすると，引用発明に，かかる周知の技術的事項を適用し，引用発明においても，コンテンツの検索に失敗したとき，複数のコンテンツデータのうちいずれかを選択して再生させるようにすることは，当業者が適宜採用できる事項であるから，引用発明において［相違点２］にかかる構成とすることは，当業者においては適宜なし得たことといえる。
　
（３）結論
　
　そして，本願発明の効果も，引用発明及び周知の技術的事項から，当業者が予測できる範囲のものである。したがって，本願発明は，引用発明及び周知の技術的事項から，当業者が容易に発明をすることができたものである。
　
５　むすび　
　
　以上のとおり，本願発明は，引用発明及び周知の技術的事項に基づいて当業者が容易に発明をすることができたものであるから，特許法２９条２項の規定により，特許を受けることができない。
　
　よって，結論のとおり審決する。